(57)【要約】【課題】高周波成分を含む映像の輪郭補正を行うことができる映像表示装置を提供する。【解決手段】映像表示装置１００は、輝度信号処理回路１、色差信号処理回路２、ＲＧＢマトリクス回路３、ＣＲＴドライブ回路４、ＣＲＴ５、複数のＶＭコイル２０１  〜２０ｎ  、複数の走査速度変調回路ブロック５０１  〜５０ｎ  、水平偏向回路９０、垂直偏向回路９１、水平偏向コイル９２および垂直偏向コイル９３を備える。電子ビームは、水平偏向コイル９２および垂直偏向コイル９３により水平走査および垂直走査される。複数の走査速度変調回路ブロック５０１  〜５０ｎ  より複数のＶＭコイル２０１  〜２０ｎ  へ速度変調電流ＶＭＩが供給される。それにより、複数のＶＭコイル２０１  〜２０ｎ  から水平偏向磁界が発生され、水平方向に走査される電子ビームが局部的に速度変調される。【選択図】        図１
2004297739.tif 000002
【特許請求の範囲】
【請求項１】
入力された輝度信号に応じた電子ビームを画面上に走査させることにより画面上に輝度分布を生じさせて映像を表示する電子ビーム走査装置と、
前記電子ビーム走査装置に設けられ、前記電子ビームの走査速度を変調するための変調磁界を発生する複数の速度変調コイルと、
前記入力された輝度信号に基づいて前記複数の速度変調コイルにそれぞれ走査速度の変調のための電流を供給する複数の走査速度変調回路とを備えたことを特徴とする映像表示装置。
【請求項２】
前記複数の速度変調コイルは、同一のターン数を有することを特徴とする請求項１記載の映像表示装置。
【請求項３】
前記複数の走査速度変調回路の各々は、前記輝度信号を微分する微分回路を含むことを特徴とする請求項２記載の映像表示装置。
【請求項４】
前記複数の速度変調コイルは、異なるターン数を有することを特徴とする請求項１記載の映像表示装置。
【請求項５】
前記複数の走査速度変調回路の各々は、前記輝度信号を微分する微分回路を含み、
前記複数の走査速度変調回路の前記微分回路は、異なる微分周波数を有し、
より低い微分周波数を有する微分回路がより多いターン数を有する速度変調コイルに組み合わされるように、前記複数の走査速度変調回路が前記複数の速度変調コイルに接続されたことを特徴とする請求項４記載の映像表示装置。
【請求項６】
前記複数の走査速度変調回路は、前記微分回路の前段に低域通過フィルタをさらに含み、
前記複数の走査速度変調回路の前記低域通過フィルタは、異なるカットオフ周波数を有し、
より低いカットオフ周波数を有する低域通過フィルタがより低い微分周波数を有する微分回路に組み合わされるように、前記複数の走査速度変調回路の前記低域通過フィルタのカットオフ周波数が設定されたことを特徴とする請求項５記載の映像表示装置。
【請求項７】
前記複数の走査速度変調回路は、前記輝度信号にそれぞれ異なる次数の微分を行う微分回路を含み、
より低い次数の微分を行う微分回路がより多いターン数を有する速度変調コイルに組み合わされるように、前記複数の走査速度変調回路が前記複数の速度変調コイルに接続されたことを特徴とする請求項４記載の映像表示装置。
【請求項８】
前記電子ビーム走査装置は、
陰極線管と、
前記陰極線管の電子ビームを水平方向に偏向させる水平偏向装置と、
前記陰極線管の電子ビームを垂直方向に偏向させる垂直偏向装置とを含み、
前記複数の速度変調コイルは、電子ビームの水平方向の走査速度を変調するように配置されたことを特徴とする請求項１〜７のいずれかに記載の映像表示装置。
【請求項９】
入力された輝度信号に応じた電子ビームを画面上に走査させることにより画面上に輝度分布を生じさせて映像を表示する電子ビーム走査装置と、
互いに対向するように前記電子ビーム走査装置に設けられ、前記電子ビームの走査速度を変調するための変調磁界を発生するサドル型の第１および第２の速度変調コイルと、
前記入力された輝度信号に基づいて前記第１および第２の速度変調コイルに走査速度の変調のための電流を供給する走査速度変調回路とを備えたことを特徴とする映像表示装置。
【請求項１０】
前記走査速度変調回路は、
前記入力された輝度信号に基づいて走査速度変調信号を生成する信号生成回路と、
前記信号生成回路により生成された走査速度変調信号に基づいて前記第１および第２の速度変調コイルにそれぞれ走査速度の変調のための電流を供給する第１および第２の電流供給回路とを含むことを特徴とする請求項９記載の映像表示装置。
【請求項１１】
前記第１および第２の速度変調コイルは、互いに並列に接続され、
前記走査速度変調回路は、
前記入力された輝度信号に基づいて走査速度変調信号を生成する信号生成回路と、
前記信号生成回路により生成された走査速度変調信号に基づいて前記第１および第２の速度変調コイルに走査速度の変調のための電流を供給する電流供給回路とを含むことを特徴とする請求項９記載の映像表示装置。
【請求項１２】
前記電子ビーム走査装置は、
陰極線管と、
前記陰極線管の電子ビームを水平方向に偏向させる水平偏向装置と、
前記陰極線管の電子ビームを垂直方向に偏向させる垂直偏向装置とを含み、
前記第１および第２の速度変調コイルは、電子ビームの水平方向の走査速度を変調するように配置されたことを特徴とする請求項９〜１１のいずれかに記載の映像表示装置。
【発明の詳細な説明】
【０００１】
【発明の属する技術分野】
本発明は、映像の輪郭を補正する機能を有する映像表示装置に関する。
【０００２】
【従来の技術】
従来より、陰極線管（以下、ＣＲＴと略記する）等に表示された映像の輪郭を補正するために電子ビームの走査速度を変調する映像表示装置がある。このような映像表示装置として、例えば、速度変調用信号発生回路が提案されている（特許文献１参照）。
【０００３】
図１２は速度変調用信号発生回路の構成を示すブロック図であり、図１３は図１２の速度変調コイルの形状および構成を示す模式図である。また、図１４は図１２の速度変調用信号発生回路の動作を説明するための波形図である。
【０００４】
図１２の速度変調用信号発生回路７０は、輝度信号処理回路７１、色差信号処理回路７２、ＲＧＢマトリクス回路７３、ＣＲＴドライブ回路７４、位相補正回路７６、微分回路７７、速度変調（以下、ＶＭと略記する）ドライブ回路７８、ＣＲＴ７５および速度変調（ＶＭ）コイル７９を備える。
【０００５】
図１３（ａ）に示すように、ＶＭコイル７９においては、複数のコイルが直列に接続されている。ＶＭコイル７９を等価回路で表すと、図１３（ｂ）のようになる。図１３（ａ）においては、各コイルのターン数が１ターンであるように表されているが、通常、各コイルのターン数は３〜６ターンである。ＶＭコイル７９には、後述の速度変調電流ＶＭＩが与えられる。
【０００６】
輝度信号処理回路７１および色差信号処理回路７２は遅延回路（図示せず）を有する。
【０００７】
図１２の速度変調用信号発生回路７０において、輝度信号Ｙが輝度信号処理回路７１に入力され、色差信号Ｃが色差信号処理回路７２に入力される。
【０００８】
輝度信号処理回路７１に入力された輝度信号Ｙは、所定量遅延されるとともに映像を補正するための処理がなされ、処理された輝度信号ＹがＲＧＢマトリクス回路７３に与えられる。図１４（ａ）に、処理された輝度信号Ｙの波形の一例が示されている。
【０００９】
色差信号処理回路７２に入力された色差信号Ｃは、所定量遅延されるとともに映像を補正するための処理がなされ、処理された色差信号ＣがＲＧＢマトリクス回路７３に与えられる。
【００１０】
ＲＧＢマトリクス回路７３では、輝度信号Ｙおよび色差信号Ｃに基づいて赤色、緑色および青色の各々の輝度に対応した原色信号ＥＲ，ＥＧ，ＥＢが生成される。生成された各種原色信号ＥＲ，ＥＧ，ＥＢは、ＣＲＴドライブ回路７４に与えられる。
【００１１】
ＣＲＴドライブ回路７４においては、ＲＧＢマトリクス回路７３より与えられた原色信号ＥＲ，ＥＧ，ＥＢが増幅される。図１４（ｂ）に原色信号ＥＲの波形の一例が示されている。ＣＲＴ７５においては、原色信号ＥＲ，ＥＧ，ＥＢに基づく電子ビームが出射される。
【００１２】
これら電子ビームは、水平偏向コイル（図示せず）および垂直偏向コイル（図示せず）により発生される水平偏向磁界および垂直偏向磁界によりＣＲＴ７５画面上で水平走査および垂直走査される。それにより、ＣＲＴ７５の画面上に映像の表示が行われる。
【００１３】
また、輝度信号処理回路７１に入力された輝度信号Ｙ（図１４（ａ））は、映像を補正するための処理がなされるとともに位相補正回路７６に与えられる。位相補正回路７６では、輝度信号Ｙの位相が補正される。補正された輝度信号Ｙが微分回路７７に与えられる。
【００１４】
微分回路７７では、輝度信号Ｙが１次微分されて速度変調信号が生成される。生成された速度変調信号がＶＭドライブ回路７８に与えられる。
【００１５】
ＶＭドライブ回路７８では、微分回路７７により生成された速度変調信号に基づいて速度変調電流ＶＭＩが出力される。図１４（ｃ）に、速度変調電流ＶＭＩの波形の一例が示されている。
【００１６】
なお、図１４（ｂ），（ｃ）に示すように、原色信号ＥＲの立ち上がりエッジおよび立下りエッジと速度変調電流ＶＭＩのピーク位置およびボトム位置とが一致するように、輝度信号処理回路７１における輝度信号Ｙの遅延時間および色差信号処理回路７２における色差信号Ｃの遅延時間が設定されている。
【００１７】
ＶＭドライブ回路７８から出力される速度変調電流ＶＭＩは、ＶＭコイル７９に供給される。これにより、ＶＭコイル７９から速度変調磁界が発生される。
【００１８】
図１４（ｄ）に、水平偏向コイル（図示せず）により発生される水平偏向磁界と図１４（ｃ）の速度変調電流ＶＭＩに基づいてＶＭコイル７９により発生される速度変調磁界とを合成した磁界ＭＴを示す。
【００１９】
図１４（ｄ）によれば、水平偏向コイルにより発生される水平偏向磁界は図１４（ｃ）の速度変調電流ＶＭＩに対応してＰ点およびＱ点において局部的に変化している。これにより、電子ビームの水平走査速度が局部的に変調される。
【００２０】
その結果、ＣＲＴ７５の画面上の輝度分布は、輝度信号Ｙの変化に応じて急峻に変化し、映像の輪郭補正が行われる。この場合のＣＲＴ７５の画面上の輝度分布ＬＵが図１４（ｅ）に示されている。
【００２１】
以上のように電子ビームの水平走査速度を変調することにより、鮮明な輪郭の表示が行われる。
【００２２】
【特許文献１】
特開平１−２９１７３号公報
【特許文献２】
特開平５−７６０１７号公報
【特許文献３】
特開平７−１３５５７６号公報
【特許文献４】
特開平８−６５５３８号公報
【００２３】
【発明が解決しようとする課題】
ところで、図１２の速度変調用信号発生回路７０において、速度変調信号は、輝度信号Ｙを１次微分することにより得られるため、非常に急峻な立ち上がりおよび立ち下がりを有する。換言すれば、速度変調信号は、高い周波数成分を有する。
【００２４】
しかしながら、ＶＭドライブ回路７８の周波数特性により、以下に説明するように、ＶＭドライブ回路７８が追従できる速度変調信号の周波数には制限がある。通常、ＶＭドライブ回路７８は数ＭＨｚ程度までしか追従できない。
【００２５】
ここで、ＶＭコイル７９のインダクタンスをＬとし、ＶＭコイル７９に供給する速度変調電流ＶＭＩの電流値をＩとし、ＶＭコイル７９に供給する速度変調電流ＶＭＩの周波数をｆとした場合、ＶＭドライブ回路７８の出力電圧（以下、ドライブ電圧と呼ぶ）ＶＬ  は、下記式（１）により表される。
【００２６】
ＶＬ  ＝２πｆＬＩ  ・・・（１）
式（１）において、ＶＭドライブ回路７８によりＶＭコイル７９に印加すべきドライブ電圧ＶＬ  は、ＶＭコイル７９に供給する速度変調電流ＶＭＩの周波数ｆに依存する。すなわち、速度変調電流ＶＭＩの周波数ｆを増加させるためには、ドライブ電圧ＶＬ  を増加させる必要がある。しかしながら、ドライブ電圧ＶＬ  はそのＶＭドライブ回路７８に内蔵されるトランジスタの耐圧により制限される。そのため、速度変調信号の周波数が高くなると、ＶＭドライブ回路７８によりＶＭコイル７９に印加すべき電圧がドライブ電圧ＶＬ  の上限を超えてしまう。
【００２７】
また、ＶＭコイル７９は、インダクタンス成分とともに、浮遊容量および線間容量からなるキャパシタンス成分を有している。それにより、ＶＭコイル７９はインダクタンス成分およびキャパシタンス成分によるローパスフィルタ特性を有する。この場合、ＶＭコイル７９のインダクタンス成分が大きいほど、ローパスフィルタ特性のカットオフ周波数が低くなる。
【００２８】
これらの結果、速度変調信号の周波数がある値を超えると、ＶＭドライブ回路７８が速度変調信号の周波数に追従することができない。すなわち、速度変調電流ＶＭＩが速度変調信号の周波数に追従することができない。
【００２９】
例えば、ＶＭコイル７９のインダクタンスを５μＨとし、ＶＭコイル７９に供給する電流を１Ａｐ−ｐとする。この場合、速度変調信号の周波数が１ＭＨｚ、１０ＭＨｚおよび１００ＭＨｚであるとき、ＶＭドライブ回路７８によりＶＭコイル７９に印加すべき電圧は上式（１）からぞれぞれ３１．４Ｖｐ−ｐ、３１４Ｖｐ−ｐおよび３１４０Ｖｐ−ｐとなる。このように、ＶＭドライブ回路７８によりＶＭコイル７９に印加すべき電圧は、速度変調信号の周波数の増加に伴って増加する。
【００３０】
ＶＭドライブ回路７８のドライブ電圧ＶＬ  の上限が１４０Ｖｐ−ｐ程度であるとすると、速度変調信号の周波数が１０ＭＨｚおよび１００ＭＨｚのときに、ＶＭコイル７９に印加すべき電圧がＶＭドライブ回路７８のドライブ電圧ＶＬ  の上限を大きく超えてしまう。そのため、ＶＭドライブ回路７８が速度変調信号の周波数に追従できない。その結果、高周波成分を含む映像の輪郭を鮮明に表示することができない。
【００３１】
本発明の目的は、高周波成分を含む映像の輪郭補正を行うことができる映像表示装置を提供することである。
【００３２】
【課題を解決するための手段】
第１の発明に係る映像表示装置は、入力された輝度信号に応じた電子ビームを画面上に走査させることにより画面上に輝度分布を生じさせて映像を表示する電子ビーム走査装置と、電子ビーム走査装置に設けられ、電子ビームの走査速度を変調するための変調磁界を発生する複数の速度変調コイルと、入力された輝度信号に基づいて複数の速度変調コイルにそれぞれ走査速度の変調のための電流を供給する複数の走査速度変調回路とを備えたものである。
【００３３】
本発明に係る映像表示装置においては、電子ビーム走査装置により、入力された輝度信号に応じた電子ビームが画面上に走査され、画面上に輝度分布が生じることにより、映像が表示される。また、複数の走査速度変調回路により複数の速度変調コイルにそれぞれ走査速度の変調のための電流が供給される。それにより、複数の速度変調コイルからそれぞれ変調磁界が発生され、電子ビームの走査速度が変調される。
【００３４】
この場合、複数の速度変調コイルが設けられることにより、各速度変調コイルのインダクタンスを小さくすることができるので、各速度変調コイルに印加すべき電圧を低減することができるとともに、各速度変調コイルのカットオフ周波数を高めることができる。それにより、各走査速度変調回路が高い周波数に追従することができる。
【００３５】
したがって、輝度信号が高周波成分を含む場合でも、速度変調機能の能力を低下させることなく、高い周波数領域においても電子ビームの走査速度を変調することが可能となり、高周波成分を含む映像の輪郭補正を行うことができる。その結果、高い周波数成分を有する映像を鮮明に表示することができる。
【００３６】
複数の速度変調コイルは、同一のターン数を有してもよい。この場合、同一のターン数を有する複数の速度変調コイルにそれぞれ走査速度の変調のための電流が供給される。それにより、各速度変調コイルのインダクタンスを小さくすることが可能となる。
【００３７】
複数の走査速度変調回路の各々は、輝度信号を微分する微分回路を含んでもよい。この場合、複数の走査速度変調回路の各々に入力される輝度信号が微分回路により微分され、微分波形に基づく電流が複数の速度変調コイルの各々に供給される。それにより、映像の輪郭が強調される。
【００３８】
複数の速度変調コイルは、異なるターン数を有してもよい。この場合、異なるターン数を有する複数の速度変調コイルにそれぞれ走査速度の変調のための電流が供給される。それにより、各速度変調コイルのインダクタンスを小さくすることが可能になるとともに、種々の周波数領域の輝度信号に基づく速度変調を行うことができる。その結果、輝度信号の周波数に応じた詳細な輪郭補正が可能となり、種々の周波数成分を有する映像を鮮明に表示することができる。
【００３９】
複数の走査速度変調回路の各々は、輝度信号を微分する微分回路を含み、複数の走査速度変調回路の微分回路は、異なる微分周波数を有し、より低い微分周波数を有する微分回路がより多いターン数を有する速度変調コイルに組み合わされるように、複数の走査速度変調回路が複数の速度変調コイルに接続されてもよい。
【００４０】
この場合、複数の走査速度変調回路の各々に入力される輝度信号がその周波数に応じて複数の微分回路のいずれかにより微分され、微分波形に基づく電流が対応する速度変調コイルに供給される。それにより、映像の輪郭が強調される。
【００４１】
特に、輝度信号が低い周波数を有する場合には、速度変調コイルのターン数が多く、すなわち、インダクタンスが大きな場合であっても、走査速度変調回路が輝度信号の周波数に追従することができる。逆に、輝度信号が高い周波数を有する場合には、速度変調コイルのターン数を小さくし、すなわち、インダクタンスを小さくすることにより、走査速度変調回路が輝度信号の周波数に追従することができる。したがって、より低い微分周波数を有する微分回路がより多いターン数を有する速度変調コイルに組み合わされることにより、広い周波数領域の輝度信号に基づく速度変調を行うことが可能となる。その結果、輝度信号の周波数に応じた詳細な輪郭補正が可能となり、種々の周波数成分を有する映像を鮮明に表示することができる。
【００４２】
複数の走査速度変調回路は、微分回路の前段に低域通過フィルタをさらに含み、複数の走査速度変調回路の低域通過フィルタは、異なるカットオフ周波数を有し、より低いカットオフ周波数を有する低域通過フィルタがより低い微分周波数を有する微分回路に組み合わされるように、複数の走査速度変調回路の低域通過フィルタのカットオフ周波数が設定されてもよい。
【００４３】
この場合、微分回路の前段において、複数の走査速度変調回路の各々に入力される輝度信号は、異なるカットオフ周波数を有する低域通過フィルタにより所定の周波数領域がカットされる。
【００４４】
特に、より低いカットオフ周波数を有する低域通過フィルタを通過した輝度信号は、より低い微分周波数を有する微分回路に与えられる。これにより輝度信号の低い周波数成分が強調される。逆に、より高いカットオフ周波数を有する低域通過フィルタを通過した輝度信号は、より高い微分周波数を有する微分回路に与えられる。これにより輝度信号の高い周波数成分が強調される。
【００４５】
したがって、輝度信号が種々の周波数成分を有する場合でも、その周波数成分が強調された輪郭の補正を行うことができる。その結果、輝度信号の周波数に応じた詳細な輪郭補正が可能となり、種々の周波数成分を有する映像を鮮明に表示することができる。
【００４６】
複数の走査速度変調回路は、輝度信号にそれぞれ異なる次数の微分を行う微分回路を含み、より低い次数の微分を行う微分回路がより多いターン数を有する速度変調コイルに組み合わされるように、複数の走査速度変調回路が複数の速度変調コイルに接続されてもよい。
【００４７】
この場合、複数の走査速度変調回路の各々に入力される輝度信号は、輝度信号にそれぞれ異なる次数の微分を行う微分回路により、それぞれ異なる次数の微分が行われる。
【００４８】
特に、より低い次数の微分を行う微分回路により得られた微分波形は低い周波数を有する。この場合、より多いターン数を有する速度変調コイルに接続された走査速度変調回路は輝度信号の周波数に追従することができる。
【００４９】
また、より高い次数の微分を行う微分回路により得られた微分波形は高い周波数を有する。この場合、より少ないターン数を有する速度変調コイルに接続された走査速度変調回路は輝度信号の周波数に追従することができる。
【００５０】
このように、より低い次数の微分を行う微分回路がより多いターン数を有する速度変調コイルに組み合わされることにより、広い周波数領域の輝度信号について、映像の輪郭を強調することができる。その結果、輝度信号の周波数に応じた強力な輪郭補正が可能となり、種々の周波数成分を有する映像を鮮明に表示することができる。
【００５１】
電子ビーム走査装置は、陰極線管と、陰極線管の電子ビームを水平方向に偏向させる水平偏向装置と、陰極線管の電子ビームを垂直方向に偏向させる垂直偏向装置とを含み、複数の速度変調コイルは、電子ビームの水平方向の走査速度を変調するように配置されてもよい。
【００５２】
この場合、陰極線管において、水平偏向装置により電子ビームが水平方向に偏向され、垂直偏向装置により電子ビームが垂直方向に偏向される。これにより、陰極線管の画面上に映像が表示される。また、複数の速度変調コイルにより、電子ビームの水平方向の走査速度が変調される。これにより、映像の輪郭補正が行われ、輪郭の強調された鮮明な映像が表示される。
【００５３】
第２の発明に係る映像表示装置は、入力された輝度信号に応じた電子ビームを画面上に走査させることにより画面上に輝度分布を生じさせて映像を表示する電子ビーム走査装置と、互いに対向するように電子ビーム走査装置に設けられ、電子ビームの走査速度を変調するための変調磁界を発生するサドル型の第１および第２の速度変調コイルと、入力された輝度信号に基づいて第１および第２の速度変調コイルに走査速度の変調のための電流を供給する走査速度変調回路とを備えたものである。
【００５４】
本発明に係る映像表示装置においては、電子ビーム走査装置により、入力された輝度信号に応じた電子ビームが画面上に走査され、画面上に輝度分布が生じることにより、映像が表示される。また、走査速度変調回路により、互いに対向するように電子ビーム走査装置に設けられたサドル型の第１および第２の速度変調コイルに輝度信号に基づく走査速度の変調のための電流が供給される。それにより、複数の速度変調コイルからそれぞれ変調磁界が発生され、電子ビームの走査速度が変調される。
【００５５】
この場合、サドル型の第１および第２の速度変調コイルが設けられることにより、各速度変調コイルのインダクタンスを小さくすることができるので、各変調コイルに印加すべき電圧を低減することができるとともに、各速度変調コイルのカットオフ周波数を高めることができる。それにより、走査速度変調回路が高い周波数に追従することができる。したがって、輝度信号が高周波成分を含む場合でも、電子ビームの走査速度を変調することが可能となる。その結果、高周波成分を含む映像の輪郭補正を行うことができ、高い周波数成分を有する映像を鮮明に表示することができる。
【００５６】
走査速度変調回路は、入力された輝度信号に基づいて走査速度変調信号を生成する信号生成回路と、信号生成回路により生成された走査速度変調信号に基づいて第１および第２の速度変調コイルにそれぞれ走査速度の変調のための電流を供給する第１および第２の電流供給回路とを含んでもよい。
【００５７】
この場合、信号生成回路により入力された輝度信号に基づいて走査速度変調信号が生成され、第１および第２の電流供給回路により走査速度変調信号に基づく走査速度の変調のための電流が第１および第２の速度変調コイルに供給される。
【００５８】
これにより、第１および第２の電流供給回路が第１および第２の速度変調コイルに印加すべき電圧を低減することができる。したがって、第１および第２の電流供給回路が高い周波数に追従することができる。これにより、輝度信号が高周波成分を含む場合でも、電子ビームの走査速度を変調することが可能となる。その結果、高周波成分を含む映像の輪郭補正を行うことができ、高い周波数成分を有する映像を鮮明に表示することができる。
【００５９】
第１および第２の速度変調コイルは、互いに並列に接続され、走査速度変調回路は、入力された輝度信号に基づいて走査速度変調信号を生成する信号生成回路と、信号生成回路により生成された走査速度変調信号に基づいて第１および第２の速度変調コイルに走査速度の変調のための電流を供給する電流供給回路とを含んでもよい。
【００６０】
この場合、走査速度変調回路において、信号生成回路により入力された輝度信号に基づく走査速度変調信号が生成され、電流供給回路により走査速度変調信号に基づく電流が互いに並列に接続された第１および第２の速度変調コイルに供給される。第１および第２の速度変調コイルに走査速度変調信号に基づく電流が供給されることにより、走査速度の変調が行われる。
【００６１】
特に、第１および第２の速度変調コイルが並列に設けられることにより、第１および第２の速度変調コイルの合成インダクタンスが小さくなるので、第１および第２の速度変調コイルに印加すべき電圧が低減できるとともに、第１および第２の速度変調コイルのカットオフ周波数を高めることができる。それにより、走査速度変調回路が高い周波数に追従することができる。その結果、高周波成分を含む映像の輪郭補正を行うことができ、高い周波数成分を有する映像を鮮明に表示することができる。
【００６２】
電子ビーム走査装置は、陰極線管と、陰極線管の電子ビームを水平方向に偏向させる水平偏向装置と、陰極線管の電子ビームを垂直方向に偏向させる垂直偏向装置とを含み、第１および第２の速度変調コイルは、電子ビームの水平方向の走査速度を変調するように配置されてもよい。
【００６３】
この場合、陰極線管において、水平偏向装置により電子ビームが水平方向に偏向され、垂直偏向装置により電子ビームが垂直方向に偏向される。これにより、陰極線管の画面上に映像が表示される。また、第１および第２の速度変調コイルにより、電子ビームの水平方向の走査速度が変調される。これにより、映像の輪郭補正が行われる。したがって、輪郭の強調された映像を得ることができる。
【００６４】
【発明の実施の形態】
以下、本発明の実施の形態について、図１〜図１１に基づき説明する。
【００６５】
（第１の実施の形態）
図１は第１の実施の形態に係る映像表示装置の構成を示すブロック図であり、図２は図１の映像表示装置の動作を説明するための波形図である。
【００６６】
第１の実施の形態に係る映像表示装置１００は、輝度信号処理回路１、色差信号処理回路２、ＲＧＢマトリクス回路３、陰極線管（以下、ＣＲＴと略記する）ドライブ回路４、ＣＲＴ５、複数の速度変調（以下、ＶＭと略記する）コイル２０１  〜２０ｎ  （ｎは２以上の整数）、複数の走査速度変調回路ブロック５０１  〜５０ｎ  （ｎは２以上の整数）、水平偏向回路９０、垂直偏向回路９１、水平偏向コイル９２および垂直偏向コイル９３を備える。
【００６７】
走査速度変調回路ブロック５０１  〜５０ｎ  の各々は、位相補正回路１１、微分回路１２およびＶＭドライブ回路１３を備え、ＶＭコイル２０１  〜２０ｎ  の各々と個別に接続されている。また、ＶＭコイル２０１  〜２０ｎ  、水平偏向コイル９２および垂直偏向コイル９３は、ＣＲＴ５に取り付けられている。
【００６８】
なお、本実施の形態において、複数の走査速度変調回路ブロック５０１  〜５０ｎ  の各々は同一の構成および性能を有し、複数のＶＭコイル２０１  〜２０ｎ  の各々は同一のターン数を有する。
【００６９】
輝度信号処理回路１および色差信号処理回路２は遅延回路（図示せず）を有する。
【００７０】
図１の映像表示装置１００において、輝度信号Ｙ０が輝度信号処理回路１に入力され、色差信号Ｃ０が色差信号処理回路２に入力される。また、水平同期信号ＨＳおよび垂直同期信号ＶＳが水平偏向回路９０に入力され、垂直同期信号ＶＳが垂直偏向回路９１に入力される。
【００７１】
輝度信号処理回路１に入力された輝度信号Ｙ０は、所定量遅延されるとともに映像を補正するための処理がなされ、処理された輝度信号Ｙ０がＲＧＢマトリクス回路３に与えられる。図２（ａ）に、処理された輝度信号Ｙ０の波形の一例が示されている。
【００７２】
色差信号処理回路２に入力された色差信号Ｃ０は、所定量遅延されるとともに映像を補正するための処理がなされ、ＲＧＢマトリクス回路３に与えられる。
【００７３】
ＲＧＢマトリクス回路３では、輝度信号Ｙ０および色差信号Ｃ０に基づいて赤色、緑色および青色の各々の輝度に対応した原色信号ＥＲ，ＥＧ，ＥＢが生成される。生成された原色信号ＥＲ，ＥＧ，ＥＢは、ＣＲＴドライブ回路４に与えられる。
【００７４】
ＣＲＴドライブ回路４においては、ＲＧＢマトリクス回路３から与えられた原色信号ＥＲ，ＥＧ，ＥＢが増幅される。図２（ｂ）に、原色信号ＥＲの波形の一例が示されている。ＣＲＴ５においては、原色信号ＥＲ，ＥＧ，ＥＢに基づく電子ビームが出射される。
【００７５】
水平偏向回路９０は、入力された水平同期信号ＨＳおよび垂直同期信号ＶＳに基づいて水平偏向電流ＨＡＬを生成し、水平偏向コイル９２に与える。これにより、水平偏向コイル９２から水平偏向磁界が発生される。その結果、上記電子ビームが画面上で水平走査される。
【００７６】
垂直偏向回路９１は、入力された垂直同期信号ＶＳに基づいて垂直偏向電流ＶＡＬを生成し、垂直偏向コイル９３に与える。これにより、垂直偏向コイル９３から垂直偏向磁界が発生される。その結果、上記電子ビームが画面上で垂直走査される。それにより、ＣＲＴ５の画面上に映像の表示が行われる。
【００７７】
また、輝度信号処理回路１により処理された輝度信号Ｙ０（図２（ａ））は、走査速度変調回路ブロック５０１  〜５０ｎ  の位相補正回路１１に与えられる。位相補正回路１１では、輝度信号Ｙ０の位相が補正される。補正された輝度信号Ｙ０が微分回路１２に与えられる。
【００７８】
微分回路１２では、輝度信号Ｙ０が１次微分されて速度変調信号が生成される。生成された速度変調信号がＶＭドライブ回路１３に与えられる。
【００７９】
ＶＭドライブ回路１３では、微分回路１２により生成された速度変調信号に基づいて速度変調電流ＶＭＩが出力される。図２（ｃ）に、速度変調電流ＶＭＩの波形の一例が示されている。
【００８０】
なお、図２（ｂ），（ｃ）に示すように、原色信号ＥＲの立ち上がりエッジおよび立下りエッジと速度変調電流ＶＭＩのピーク位置およびボトム位置とが一致するように、輝度信号処理回路１における輝度信号Ｙ０の遅延時間および色差信号処理回路２における色差信号Ｃ０の遅延時間が設定されている。
【００８１】
走査速度変調回路ブロック５０１  〜５０ｎ  のＶＭドライブ回路１３から出力される速度変調電流ＶＭＩは、それぞれＶＭコイル２０１  〜２０ｎ  に供給される。これにより、ＶＭコイル２０１  〜２０ｎ  から速度変調磁界が発生される。
【００８２】
図２（ｄ）に、水平偏向コイル９２により発生される水平偏向磁界と図２（ｃ）の速度変調電流ＶＭＩに基づいてＶＭコイル２０１  〜２０ｎ  により発生される速度変調磁界とを合成した磁界ＭＴ１を示す。
【００８３】
図２（ｄ）によれば、水平偏向コイル９２により発生される水平偏向磁界は図２（ｃ）の速度変調電流ＶＭＩに対応してＰ点およびＱ点において局部的に変化している。これにより、電子ビームの水平走査速度が局部的に変調される。
【００８４】
その結果、ＣＲＴ５の画面上の輝度分布は、輝度信号Ｙ０の変化に応じて急峻に変化し、映像の輪郭補正が行われる。この場合のＣＲＴ５の画面上の輝度分布ＬＵ１が図２（ｅ）に示されている。
【００８５】
本実施の形態では、複数の走査速度変調回路ブロック５０１  〜５０ｎ  および複数のＶＭコイル２０１  〜２０ｎ  が設けられることにより、後述するように、輝度信号Ｙ０の立ち上がりおよび立ち下がりが急峻な輪郭部分でも鮮明な輪郭の表示が行われる。
【００８６】
ここで、ＶＭコイルによる電子ビームの速度変調の程度をアンペアターン（ＶＭコイルに流れる電流×ＶＭコイルのターン数）で表す。
【００８７】
ｎ個のＶＭコイル２０１  〜２０ｎ  を用いて所定のアンペアターンを実現する場合、ＶＭコイル２０１  〜２０ｎ  の各々のターン数を、１つのＶＭコイルを用いた場合に比べて１／ｎにすることができる。それにより、ＶＭコイル２０１  〜２０ｎ  の各々のインダクタンスを１／ｎにすることができる。
【００８８】
例えば、４アンペアターンを実現する場合を考える。１つのＶＭコイルを用いる場合、そのＶＭコイルのターン数を４として１Ａｐ−ｐの電流を供給する。これに対し、４つのＶＭコイルを用いる場合には、各ＶＭコイルのターン数を１として１Ａｐ−ｐの電流を供給する。これにより、４アンペアターンを実現することができる。
【００８９】
このように、４つのＶＭコイルを用いる場合、１つのＶＭコイルを用いる場合に比べて、各ＶＭコイルのターン数を１／４にすることができる。すなわち、各ＶＭコイルのインダクタンスを１／４にすることができる。
【００９０】
本実施の形態に係る映像表示装置１００においては、複数の走査速度変調回路ブロック５０１  〜５０ｎ  および複数のＶＭコイル２０１  〜２０ｎ  が設けられることにより、上述のようにＶＭコイル２０１  〜２０ｎ  の各々のインダクタンスを１／ｎに小さくすることができる。
【００９１】
この場合、ＶＭコイル２０１  〜２０ｎ  の各々に印加すべき電圧が低減されるとともに、ＶＭコイル２０１  〜２０ｎ  の各々のカットオフ周波数が高められる。これにより、速度変調信号の周波数が高い場合でも、各ＶＭドライブ回路１３が速度変調信号の周波数に追従することができる。すなわち、ＶＭコイル２０１〜２０ｎ  の各々に供給する速度変調電流ＶＭＩが速度変調信号に追従することができる。したがって、速度変調機能の能力を低下させることなく、高い周波数領域においても電子ビームの水平走査速度を変調することが可能となり、高周波成分を含む映像の輪郭補正を行うことができる。その結果、高い周波数成分を有する映像を鮮明に表示することができる。
【００９２】
（第２の実施の形態）
図３は、第２の実施の形態に係る映像表示装置の構成を示すブロック図である。
【００９３】
第２の実施の形態に係る映像表示装置１００は、第１の実施の形態に係る複数のＶＭコイル２０１  〜２０ｎ  に代えて、複数のＶＭコイル２１１  〜２１ｎ  （ｎは２以上の整数）を備える点を除き第１の実施の形態に係る映像表示装置１００と同様の構成を有する。
【００９４】
ＶＭコイル２１１  〜２１ｎ  の各々のターン数はそれぞれ異なり、ＶＭコイル２１ｎ  のターン数はＶＭコイル２１ｎ−１  のターン数より少ない。図３においては、ＶＭコイル２１１  〜２１ｎ  各々のターン数が斜線の本数により示されている。図３のＶＭコイル２１１  は３ターンであり、ＶＭコイル２１ｎ  は１ターンである。
【００９５】
ＶＭコイル２１１  〜２１ｎ  の各々のインダクタンスは、ＶＭコイル２１１  〜２１ｎ  の各々のターン数に比例する。つまり、ＶＭコイルのターン数が多いほど、そのＶＭコイルのインダクタンスは大きい。また、ＶＭコイルのターン数が少ないほど、そのＶＭコイルのインダクタンスは小さい。
【００９６】
本実施の形態に係る映像表示装置１００においては、速度変調信号の周波数が低い場合には、ターン数が多いＶＭコイルにより速度変調が好適に行われ、速度変調信号の周波数が高い場合には、ターン数が少ないＶＭコイルにより速度変調が好適に行われる。したがって、種々の周波数領域において、電子ビームの水平走査速度を変調することが可能となり、輝度信号の周波数に応じた詳細な輪郭補正が可能となる。その結果、種々の周波数成分を有する映像を鮮明に表示することが可能となる。
【００９７】
なお、すべてのＶＭコイル２１１  〜２１ｎ  のターン数がそれぞれ異ならなくてもよく、ＶＭコイル２１１  〜２１ｎ  のうちの一部が同一のターン数を有してもよい。
【００９８】
（第３の実施の形態）
図４は、第３の実施の形態に係る映像表示装置の構成を示すブロック図である。
【００９９】
第３の実施の形態に係る映像表示装置１００は、第２の実施の形態に係る複数の微分回路１２に代えて、複数の微分回路１２１  〜１２ｎ  （ｎは２以上の整数）を備える点を除き第２の実施の形態に係る映像表示装置１００と同様の構成を有する。
【０１００】
微分回路１２１  〜１２ｎ  は、それぞれ異なる微分周波数を有する。微分回路１２ｎ  の微分周波数は、微分回路１２ｎ−１  の微分周波数よりも高い。
【０１０１】
すなわち、ｎが２の場合、微分回路１２１  は低い周波数の輝度信号Ｙ０を１次微分するように設定され、微分回路１２２  は高い周波数の輝度信号Ｙ０を１次微分するように設定される。
【０１０２】
微分回路１２１  〜１２ｎ  を備える走査速度変調回路ブロック５０１  〜５０ｎの各々は、第２の実施の形態と同様のＶＭコイル２１１  〜２１ｎ  に接続される。この場合、より低い微分周波数を有する微分回路を備える走査速度変調回路ブロックがよりターン数の多いＶＭコイルに接続され、より高い微分周波数を有する微分回路を備える走査速度変調回路ブロックがよりターン数の少ないＶＭコイルに接続される。
【０１０３】
例えば、ｎが２の場合、微分周波数が低い微分回路１２１  を備える走査速度変調回路ブロック５０１  は、ターン数の多いＶＭコイル２１１  に接続される。
【０１０４】
また、微分周波数が高い微分回路１２２  を備える走査速度変調回路ブロック５０２  は、ターン数の少ないＶＭコイル２１２  と接続される。
【０１０５】
このように、微分周波数が低い微分回路とターン数の多いＶＭコイルとの組合せにより、低周波領域における電子ビームの走査速度変調を行うことができ、微分周波数が高い微分回路とターン数の少ないＶＭコイルとの組合せにより、高周波領域における電子ビームの走査速度変調を行うことができる。したがって、種々の周波数領域において電子ビームの水平走査速度を変調することが可能となり、輝度信号の周波数に応じた詳細な輪郭補正が可能となる。その結果、種々の周波数成分を有する映像を鮮明に表示することが可能となる。
【０１０６】
なお、すべての微分回路１２１  〜１２ｎ  の微分周波数がそれぞれ異ならなくてもよく、微分回路１２１  〜１２ｎ  のうちの一部が同一の微分周波数を有してもよい。
【０１０７】
（第４の実施の形態）
図５は、第４の実施の形態に係る映像表示装置の構成を示すブロック図である。
【０１０８】
第４の実施の形態に係る映像表示装置１００は、第３の実施の形態に係る複数の走査速度変調回路ブロック５０１  〜５０ｎ  が各々ローパスフィルタ（以下、ＬＰＦと略記する）１４１  〜１４ｎ  （ｎは２以上の整数）をさらに備える点を除き第３の実施の形態に係る映像表示装置１００と同様の構成を有する。
【０１０９】
走査速度変調回路ブロック５０１  〜５０ｎ  において、ＬＰＦ１４１  〜１４ｎは位相補正回路１１の前段に設けられる。ＬＰＦ１４１  〜１４ｎ  のカットオフ周波数はそれぞれ異なる。より高い微分周波数を有する微分回路の前段に、より高いカットオフ周波数を有するＬＰＦが接続される。より低い微分周波数を有する微分回路の前段に、より低いカットオフ周波数を有するＬＰＦが接続される。これにより、微分回路１２１  〜１２ｎ  の各々は、予め設定された周波数領域に応じた周波数の輝度信号Ｙ０を１次微分することができる。
【０１１０】
例えば、ｎが２の場合、ＬＰＦ１４１  のカットオフ周波数は、ＬＰＦ１４２  のカットオフ周波数よりも低い。それにより、ＬＰＦ１４１  を通過する低い周波数の輝度信号Ｙ０は微分周波数の低い微分回路１２１  へ与えられる。これにより、微分回路１２１  では、低い周波数を有する輝度信号Ｙ０の１次微分が行われる。
【０１１１】
一方、ＬＰＦ１４２  を通過する高い周波数の輝度信号Ｙ０は微分周波数の高い微分回路１２２  へ与えられる。これにより、微分回路１２２  では、高い周波数を有する輝度信号Ｙ０の１次微分が行われる。
【０１１２】
カットオフ周波数の低いＬＰＦ１４１  および微分周波数の低い微分回路１２１を備える走査速度変調回路ブロック５０１  は、ターン数の多いＶＭコイル２１１に接続される。
【０１１３】
また、カットオフ周波数の高いＬＰＦ１４２  および微分周波数の高い微分回路１２２  を備える走査速度変調回路ブロック５０２  は、ターン数の少ないＶＭコイル２１２  に接続される。
【０１１４】
このように、カットオフ周波数の低いＬＰＦおよび微分周波数の低い微分回路とターン数の多いＶＭコイルとの組合せにより、低周波領域における電子ビームの走査速度変調を行うことができ、カットオフ周波数の高いＬＰＦおよび微分周波数の高い微分回路とターン数の少ないＶＭコイルとの組合せにより、高周波領域における電子ビームの走査速度変調を行うことができる。したがって、ＬＰＦ１４１  〜１４ｎ  と微分回路１２１  〜１２ｎ  と走査速度変調回路ブロック５０１〜５０ｎ  との組み合わせより、非常に多くの周波数領域において電子ビームの水平走査速度を変調することが可能となり、輝度信号の周波数に応じた詳細な輪郭補正が可能となる。その結果、非常に多くの周波数成分を有する映像を鮮明に表示することが可能となる。
【０１１５】
なお、すべてのＬＰＦ１４１  〜１４ｎ  のカットオフ周波数がそれぞれ異ならなくてもよく、ＬＰＦ１４１  〜１４ｎ  のうちの一部が同一のカットオフ周波数を有してもよい。
【０１１６】
（第５の実施の形態）
図６は、第５の実施の形態に係る映像表示装置の構成を示すブロック図である。
【０１１７】
第５の実施の形態に係る映像表示装置１００は、第３の実施の形態に係る複数の微分回路１２１  〜１２ｎ  に代えて１次微分回路１５１  〜ｎ次微分回路１５ｎを備える点を除き第３の実施の形態に係る映像表示装置１００と同様の構成を有する。
【０１１８】
１次微分回路１５１  は与えられる輝度信号Ｙ０の１次微分を行い、ｎ次微分回路１５ｎ  は与えられる輝度信号Ｙ０のｎ次微分を行う。ここで、ｎは２以上の整数である。
【０１１９】
例えば、ｎが２の場合、１次微分回路１５１  は位相補正回路１１より与えられる輝度信号Ｙ０の１次微分を行い、２次微分回路１５２  は位相補正回路１１より与えられる輝度信号Ｙ０の２次微分を行う。
【０１２０】
１次微分回路１５１  〜ｎ次微分回路１５ｎ  を備える走査速度変調回路ブロック５０１  〜５０ｎ  は、第２の実施の形態と同様のＶＭコイル２１１  〜２１ｎ  にそれぞれ接続される。
【０１２１】
ここで、ｎが２である場合の映像表示装置１００の構成および動作について、図７および図８に基づき説明する。
【０１２２】
図７は、２つの走査速度変調回路ブロックが設けられた第５の実施の形態に係る映像表示装置の一例を示すブロック図である。図８は、図７の走査速度変調回路ブロックに与えられる輝度信号、走査速度変調回路ブロックよりＶＭコイルへ供給される速度変調電流および複数のＶＭコイルにより発生される速度変調磁界の波形を示す模式図である。
【０１２３】
ｎが２の場合、映像表示装置１００は２つの走査速度変調回路ブロック５０１，５０２  を備える。
【０１２４】
走査速度変調回路ブロック５０１  ，５０２  において、各々の位相補正回路１１には輝度信号処理回路１から図８（ａ）に示される輝度信号Ｙ０が入力される。
【０１２５】
走査速度変調回路ブロック５０１  において、位相補正回路１１から１次微分回路１５１  に与えられる輝度信号Ｙ０は、１次微分回路１５１  により１次微分され、速度変調信号が生成される。ＶＭドライブ回路１３は生成された速度変調信号に基づいて図８（ｂ）の一点鎖線で示される速度変調電流ＶＭＩ１をＶＭコイル２１１  へ供給する。これにより、ＶＭコイル２１１  は速度変調磁界Ｍ１を発生する。
【０１２６】
走査速度変調回路ブロック５０２  において、位相補正回路１１から２次微分回路１５２  に与えられる輝度信号Ｙ０は、２次微分回路１５２  により２次微分され、速度変調信号が生成される。ＶＭドライブ回路１３は生成された速度変調信号に基づいて図８（ｂ）の破線で示される速度変調電流ＶＭＩ２をＶＭコイル２１２  へ供給する。これにより、ＶＭコイル２１２  は速度変調磁界Ｍ２を発生する。
【０１２７】
図８（ｃ）にＶＭコイル２１１  による速度変調磁界Ｍ１の波形の一例が一点鎖線により示され、ＶＭコイル２１２  による速度変調磁界Ｍ２の波形の一例が一点鎖線により示され、速度変調磁界Ｍ１と速度変調磁界Ｍ２とを合成した場合の速度変調磁界Ｍ１２の一例が実線により示されている。
【０１２８】
図８（ｃ）によれば、速度変調磁界Ｍ１と速度変調磁界Ｍ２とを合成した速度変調磁界Ｍ１２の波形においては、速度変調磁界Ｍ１に比べて、立ち上がりおよび立下り時間が短くなっている。この場合、速度変調の立ち上がりおよび立下りをより急峻に行うことができるので、映像の輪郭補正がより強力に行なわれる。
【０１２９】
ところで、図６の映像表示装置１００において、輝度信号Ｙ０に対しｎ次微分が行われる場合、それにより生成される速度変調信号の周波数は、ｎが大きくなるにつれて高くなる。
【０１３０】
そこで、本実施の形態においては、より高次の微分回路を有する走査速度変調回路ブロックがより少ないターン数を有するＶＭコイルに接続され、より低次の微分回路を有する走査速度変調回路ブロックがより多いターン数を有するＶＭコイルに接続される。それにより、より高次の微分回路に接続されるＶＭドライブ回路がより高い周波数の速度変調信号に追従することができ、より低次の微分回路に接続されるＶＭドライブ回路がより低い周波数の速度変調信号に追従することができる。
【０１３１】
図７によれば、１次微分回路１５１  を備える走査速度変調回路ブロック５０１は、ターン数の多いＶＭコイル２１１  に接続されており、２次微分回路１５２  を備える走査速度変調回路ブロック５０２  は、ターン数の少ないＶＭコイル２１２  に接続されている。この場合、ＶＭコイル２１２  のターン数が少ないので、ＶＭドライブ回路１３が高い周波数を有する速度変調信号に追従することができる。
【０１３２】
このように、低次の微分回路とターン数の多いＶＭコイルとの組合せにより、低周波領域における電子ビームの走査速度変調を行うことができ、高次の微分回路とターン数の少ないＶＭコイルとの組合せにより、高周波領域における電子ビームの走査速度変調を行うことができる。したがって、種々の周波数領域において、電子ビームの水平走査速度を変調することが可能となり、輝度信号の周波数に応じた強力な輪郭補正が可能となる。その結果、種々の周波数成分を有する映像を鮮明に表示することが可能となる。
【０１３３】
なお、１次微分回路１５１  〜ｎ次微分回路１５ｎ  のうちの全てがそれぞれ異なる次数の微分を行わなくてもよく、１次微分回路１５１  〜ｎ次微分回路１５ｎのうちの一部が同一の次数の微分を行ってもよい。
【０１３４】
（第６の実施の形態）
図９は、第６の実施の形態に係る映像表示装置の構成を示すブロック図である。
【０１３５】
第６の実施の形態に係る映像表示装置１００は、第１の実施の形態に係る複数の走査速度変調回路ブロック５０１  〜５０ｎ  に代えて２つのＶＭドライブ回路１３ａ，１３ｂを有する１つの走査速度変調回路ブロック５０を備える点および第１の実施の形態に係る複数のＶＭコイル２０１  〜２０ｎ  に代えて１対のＶＭコイル２２ａ，２２ｂを備える点を除き第１の実施の形態に係る映像表示装置１００と同様の構成を有する。
【０１３６】
本実施の形態に係る走査速度変調回路ブロック５０においては、微分回路１２により生成された速度変調信号が２つのＶＭドライブ回路１３ａ，１３ｂへ与えられる。
【０１３７】
ＶＭコイル２２ａ，２２ｂの各々はサドル型コイルにより構成され、一方のサドル型コイルおよび他方のサドル型コイルがそれぞれＣＲＴ５の上部および下部に互いに対向するように取り付けられる。また、ＶＭコイル２２ａ，２２ｂのターン数は同じである。
【０１３８】
ＶＭドライブ回路１３ａはＶＭコイル２２ａに接続されており、速度変調信号に基づく速度変調電流ＶＭＩをＶＭコイル２２ａへ供給する。また、ＶＭドライブ回路１３ｂはＶＭコイル２２ｂに接続されており、速度変調信号に基づく速度変調電流ＶＭＩをＶＭコイル２２ｂへ供給する。
【０１３９】
この場合、ＶＭコイル２２ａ，２２ｂの各々により発生される速度変調磁界は、従来の１個のＶＭコイルを用いた場合における速度変調磁界に比べて半分にすることができる。したがって、従来の１個のＶＭコイルを用いた場合に得られる速度変調磁界を確保しつつ、ＶＭコイル２２ａ，２２ｂの各々のインダクタンスを１／２とすることができる。
【０１４０】
本実施の形態に係る映像表示装置１００においては、２つのＶＭドライブ回路１３ａ，１３ｂおよび１対のＶＭコイル２２ａ，２２ｂが設けられることにより、上述のようにＶＭコイル２２ａ，２２ｂの各々のインダクタンスを１／２に小さくすることができる。これにより、速度変調信号の周波数が高い場合でも、各ＶＭドライブ回路１３ａ，１３ｂが速度変調信号の周波数に追従することができる。すなわち、ＶＭコイル２２ａ，２２ｂの各々に供給する速度変調電流ＶＭＩが速度変調信号に追従することができる。したがって、高い周波数領域においても電子ビームの水平走査速度を変調することが可能となり、高周波成分を含む映像の輪郭補正を行うことができる。その結果、高い周波数成分を有する映像を鮮明に表示することができる。
【０１４１】
（第７の実施の形態）
図１０は、第７の実施の形態に係る映像表示装置の構成を示すブロック図であり、図１１は図１０の速度変調コイルの形状および構成を示す模式図である。
【０１４２】
第７の実施の形態に係る映像表示装置１００は、第１の実施の形態に係る複数の走査速度変調回路ブロック５０１  〜５０ｎ  に代えて１つの走査速度変調回路ブロック５０を備える点および第１の実施の形態に係る複数のＶＭコイル２０１〜２０ｎ  に代えて１対のＶＭコイル２３ａ，２３ｂを備える点を除き第１の実施の形態に係る映像表示装置１００と同様の構成を有する。
【０１４３】
図１１（ａ）に示すように、ＶＭコイル２２ａとＶＭコイル２３ｂとは並列に接続されている。それにより、ＶＭコイル２３ａ，２３ｂの合成インダクタンスは、１つのＶＭコイルのインダクタンスの１／２となる。
【０１４４】
ＶＭコイル２３ａ，２３ｂを等価回路で表すと、図１１（ｂ）のようになる。なお、図１１（ｂ）において、各ＶＭコイル２３ａ，２３ｂは１ターンを有するように表されているが、実際には数ターンを有する。また、本実施の形態において、上部のＶＭコイル２３ａおよび下部のＶＭコイル２３ｂのターン数は同一である。ＶＭドライブ回路１３は、並列に接続されたＶＭコイル２３ａ，２３ｂに接続されている。
【０１４５】
走査速度変調回路ブロック５０のＶＭドライブ回路１３からＶＭコイル２３ａ，２３ｂへ速度変調電流ＶＭＩが供給されると、ＶＭコイル２３ａ，２３ｂから速度変調磁界が発生され、電子ビームの速度変調が行われる。
【０１４６】
本実施の形態に係る映像表示装置１００においては、上部のＶＭコイル２３ａおよび下部のＶＭコイル２３ｂが並列に接続されることにより、上述のようにＶＭコイル２３ａ，２３ｂの合成インダクタンスが従来の１つのＶＭコイルを用いた場合の１／２となる。これにより、速度変調信号の周波数が高い場合でも、ＶＭドライブ回路１３が速度変調信号の周波数に追従することができる。すなわち、ＶＭコイル２３ａ，２３ｂに供給する速度変調電流ＶＭＩが速度変調信号に追従することができる。したがって、高い周波数領域においても電子ビームの水平走査速度を変調することが可能となり、高周波成分を含む映像の輪郭補正を行うことができる。その結果、高い周波数成分を有する映像を鮮明に表示することができる。
【０１４７】
以上、第１〜第７の実施の形態において、輝度信号処理回路１、色差信号処理回路２、ＲＧＢマトリクス回路３、ＣＲＴドライブ回路４、ＣＲＴ５、水平偏向回路９０、垂直偏向回路９１、水平偏向コイル９２および垂直偏向コイル９３により構成される装置が電子ビーム走査装置に相当し、ＶＭコイル２０１  〜２０ｎ，２１１  〜２１ｎ  ，２２ａ，２２ｂ，２３が速度変調コイルに相当し、走査速度変調回路ブロック５０，５０１  〜５０ｎ  が速度変調回路に相当する。
【０１４８】
また、微分回路１２，１２１  〜１２ｎ  および１次微分回路１５１  〜ｎ次微分回路１５ｎ  が微分回路に相当し、ＬＰＦ１４１  〜１４ｎ  が低域通過フィルタに相当し、ＣＲＴ５が陰極線管に相当し、水平偏向回路９０および水平偏向コイル９２が水平偏向装置に相当し、垂直偏向回路９１および垂直偏向コイル９３が垂直偏向装置に相当する。
【０１４９】
さらに、ＶＭコイル２２ａ，２２ｂが第１および第２の速度変調コイルに相当し、第６の実施の形態に係るＶＭドライブ回路１３ａ，１３ｂが第１および第２の電流供給回路に相当し、微分回路１２が信号生成回路に相当し、第７の実施の形態に係る走査速度変調回路ブロック５０のＶＭドライブ回路１３が電流供給回路に相当する。
【０１５０】
【発明の効果】
本発明に係る映像表示装置においては、電子ビーム走査装置により、入力された輝度信号に応じた電子ビームが画面上に走査され、画面上に輝度分布が生じることにより、映像が表示される。また、複数の走査速度変調回路により複数の速度変調コイルにそれぞれ走査速度の変調のための電流が供給される。それにより、複数の速度変調コイルからそれぞれ変調磁界が発生され、電子ビームの走査速度が変調される。
【０１５１】
この場合、複数の速度変調コイルが設けられることにより、各速度変調コイルのインダクタンスを小さくすることができるので、各速度変調コイルに印加すべき電圧を低減することができるとともに、各速度変調コイルのカットオフ周波数を高めることができる。それにより、各走査速度変調回路が高い周波数に追従することができる。
【０１５２】
したがって、輝度信号が高周波成分を含む場合でも、速度変調機能の能力を低下させることなく、高い周波数領域においても電子ビームの走査速度を変調することが可能となり、高周波成分を含む映像の輪郭補正を行うことができる。その結果、高い周波数成分を有する映像を鮮明に表示することができる。
【図面の簡単な説明】
【図１】第１の実施の形態に係る映像表示装置の構成を示すブロック図
【図２】図１の映像表示装置の動作を説明するための波形図
【図３】第２の実施の形態に係る映像表示装置の構成を示すブロック図
【図４】第３の実施の形態に係る映像表示装置の構成を示すブロック図
【図５】第４の実施の形態に係る映像表示装置の構成を示すブロック図
【図６】第５の実施の形態に係る映像表示装置の構成を示すブロック図
【図７】２つの走査速度変調回路ブロックが設けられた第５の実施の形態に係る映像表示装置の一例を示すブロック図
【図８】図７の走査速度変調回路ブロックに与えられる輝度信号、走査速度変調回路ブロックよりＶＭコイルへ供給される速度変調電流および複数のＶＭコイルにより発生される速度変調磁界の波形を示す模式図
【図９】第６の実施の形態に係る映像表示装置の構成を示すブロック図
【図１０】第７の実施の形態に係る映像表示装置の構成を示すブロック図
【図１１】図１０の速度変調コイルの形状および構成を示す模式図
【図１２】速度変調用信号発生回路の構成を示すブロック図
【図１３】図１２の速度変調コイルの形状および構成を示す模式図
【図１４】図１２の速度変調用信号発生回路の動作を説明するための波形図
【符号の説明】
１  輝度信号処理回路
２  色差信号処理回路
３  ＲＧＢマトリクス回路
４  ＣＲＴドライブ回路
５  ＣＲＴ
１２，１２１  〜１２ｎ    微分回路
１３，１３ａ，１３ｂ  ＶＭドライブ回路
５０，５０１  〜５０ｎ    走査速度変調回路ブロック
９０  水平偏向回路
９１  垂直偏向回路
９２  水平偏向コイル
９３  垂直偏向コイル
１４１  〜１４ｎ    ＬＰＦ
１５１    １次微分回路
１５ｎ    ｎ次微分回路
２０１  〜２０ｎ  ，２１１  〜２１ｎ  ，２２ａ，２２ｂ，２３  ＶＭコイル
【図１】
2004297739.tif 000003
【図２】
2004297739.tif 000004
【図３】
2004297739.tif 000005
【図４】
2004297739.tif 000006
【図５】
2004297739.tif 000007
【図６】
2004297739.tif 000008
【図７】
2004297739.tif 000009
【図８】
2004297739.tif 000010
【図９】
2004297739.tif 000011
【図１０】
2004297739.tif 000012
【図１１】
2004297739.tif 000013
【図１２】
2004297739.tif 000014
【図１３】
2004297739.tif 000015
【図１４】
2004297739.tif 000016